(57)【要約】【課題】簡易な構成で容易に長さ調整が可能な中留及びこの中留を備えた時計を提供する。【解決手段】下バンド５Ｂに連結されると共に上バンド５Ａの端部に設けられたピン部６０を保持するピン保持部３０を備え、このピン保持部３０が、ピン部６０を収容してバンドの長さ方向に延びる空間αを空けて開閉自在に連結される一対の連結体３１、３２と、一対の連結体３１、３２を閉じる方向に付勢する付勢部材とを有し、一対の連結体３１、３２が、空間αをバンドの長さ方向に間隔を空けて複数の空間α１、α２に仕切る仕切壁３６Ｌ、３６Ｕを有し、上バンド５Ａにその長さ方向への外力が作用した場合、その外力によりピン部６０が一対の連結体３１、３２を開いて空間α１から仕切壁３６Ｌ、３６Ｕを跨いだ隣接空間α２に移動自在とした。【選択図】図９
2007312834.tif 000002
【特許請求の範囲】
【請求項１】
一方の帯状体に連結されると共に他方の帯状体の端部に設けられたピン部を保持するピン保持部を備え、
このピン保持部が、前記ピン部を収容して前記帯状体の長さ方向に延びる空間を空けて開閉自在に連結される一対の連結体と、前記一対の連結体を閉じる方向に付勢する付勢部材とを有し、
前記一対の連結体が、前記空間を前記帯状体の長さ方向に間隔を空けて仕切る仕切壁を有し、前記帯状体にその長さ方向への外力が作用した場合、その外力により前記ピン部が前記一対の連結体を開いて前記仕切壁を跨いだ隣接空間に移動自在としたことを特徴とする中留。
【請求項２】
前記連結体の一方を、前記一方の帯状体に連結された表カバーの内側に回動自在に連結し、前記連結体の他方を、前記一方の連結体と前記表カバーとの間に位置させたことを特徴とする請求項１に記載の中留。
【請求項３】
前記仕切壁は、前記ピン部を前記一対の連結体を開ける位置へ案内する傾斜面を有することを特徴とする請求項１に記載の中留。
【請求項４】
前記傾斜面は、前記一対の帯状体を離間させる方向へ外力が作用した場合に、前記ピン部を前記一対の連結体を開ける位置へ案内する第１傾斜面と、前記一対の帯状体を近接させる方向へ外力が作用した場合に、前記ピン部を前記一対の連結体を開ける位置へ案内する第２傾斜面とを有し、
前記第２傾斜面を、前記第１傾斜面より緩い傾斜にしたことを特徴とする請求項３に記載の中留。
【請求項５】
時計本体と、この時計本体に連結される一対のバンドと、前記一対のバンドを連結する中留とを備え、この中留が、一方のバンドに連結されると共に他方のバンドの端部に設けられたピン部を保持するピン保持部を備え、
このピン保持部が、前記ピン部を収容して前記バンドの長さ方向に延びる空間を空けて開閉自在に連結される一対の連結体と、前記一対の連結体を閉じる方向に付勢する付勢部材とを有し、
前記一対の連結体が、前記空間を前記バンドの長さ方向に間隔を空けて仕切る仕切壁を有し、前記バンドにその長さ方向への外力が作用した場合、その外力により前記ピン部が前記一対の連結体を開いて前記仕切壁を跨いだ隣接空間に移動自在としたことを特徴とする時計。
【請求項６】
前記中留は、表カバーを有し、この表カバーの内側に、当該中留の施錠／解錠を行う施錠部と前記一対の連結体とを備え、前記連結体の一方を、前記表カバーの内側に回動自在に連結し、前記連結体の他方を、前記一方の連結体と前記表カバーとの間に位置させたことを特徴とする請求項５に記載の時計。
【発明の詳細な説明】
【技術分野】
【０００１】
本発明は、中留の長さ調整機構に関する。
【背景技術】
【０００２】
身体に巻回される帯状装身具には、様々な中留が用いられる。例えば、帯状装身具の１つである腕時計では、二つ折れ中留、三つ折れ中留、あるいは両開き（観音開き）中留のような折り畳み型の中留が使用される。このような折り畳み型中留には、中留カバーにバンドに連結された移動部材を移動自在に支持し、この移動部材内に中留の施錠／解錠用のプッシュボタンを係止し、プッシュボタンの初期の可動範囲で中留を解錠し、それ以上の可動範囲でプッシュボタンとバンド連結体との係止を解除し、プッシュボタンの操作で中留の解錠とバンド長さの微調整とを可能にしたものが提案されている（例えば、特許文献１）。
【特許文献１】特開２００５−２７０７４８号公報
【発明の開示】
【発明が解決しようとする課題】
【０００３】
しかし、従来のものは、使用者にプッシュボタン押下時の解錠位置と長さ調整位置とを判別させる必要があるため、使用者にとって判りやすい操作ではなかった。また、中留カバー内に配置される移動部材内にプッシュボタンを係止する必要があるため、構造が複雑化してしまう問題もあった。
本発明は、上述した事情に鑑みてなされたものであり、簡易な構成で容易に長さ調整が可能な中留及びこの中留を備えた時計を提供することを目的としている。
【課題を解決するための手段】
【０００４】
上述課題を解決するため、本発明は、中留において、一方の帯状体に連結されると共に他方の帯状体の端部に設けられたピン部を保持するピン保持部を備え、このピン保持部が、前記ピン部を収容して前記帯状体の長さ方向に延びる空間を空けて開閉自在に連結される一対の連結体と、前記一対の連結体を閉じる方向に付勢する付勢部材とを有し、前記一対の連結体が、前記空間を前記帯状体の長さ方向に間隔を空けて仕切る仕切壁を有し、前記帯状体にその長さ方向への外力が作用した場合、その外力により前記ピン部が前記一対の連結体を開いて前記仕切壁を跨いだ隣接空間に移動自在としたことを特徴とする。
この発明によれば、帯状体にその長さ方向への外力が作用した場合、その外力によりピン部が一対の連結体を開いて仕切壁を跨いだ隣接空間に移動自在としたので、帯状体をその長さ方向へ移動させる簡易な操作で帯状体の長さを容易に調整することができる。また、ピン保持部が、ピン部を収容して帯状体の長さ方向に延びる空間を空けて開閉自在に連結される一対の連結体と、一対の連結体を閉じる方向に付勢する付勢部材とから構成されるので、簡易な構成にすることができる。
【０００５】
上記構成において、前記連結体の一方を、前記一方の帯状体に連結された表カバーの内側に回動自在に連結し、前記連結体の他方を、前記一方の連結体と前記表カバーとの間に位置させることが好ましい。この構成によれば、一対の連結体を表カバー側に回動させた状態では連結体が開かず、ピン部が外れてしまう事態や、帯状体の長さが変わってしまう事態を確実に回避することができる。
【０００６】
上記構成において、前記仕切壁は、前記ピン部を前記一対の連結体を開ける位置へ案内する傾斜面を有することが好ましい。この構成によれば、傾斜面がピン部を一対の連結体を開ける位置へ案内するので、帯状体の長さをより容易に調整することができる。
この場合、前記傾斜面は、前記一対の帯状体を離間させる方向へ外力が作用した場合に、前記ピン部を前記一対の連結体を開ける位置へ案内する第１傾斜面と、前記一対の帯状体を近接させる方向へ外力が作用した場合に、前記ピン部を前記一対の連結体を開ける位置へ案内する第２傾斜面とを有し、前記第２傾斜面を、前記第１傾斜面より緩い傾斜にすることが好ましい。この構成によれば、一対の帯状体を近接させる方向へ外力を作用させる作業を、一対の帯状体を離間させる方向へ外力を作用させる作業よりも、その作業に要する力を小さくすることができる。
【０００７】
また、本発明は、時計本体と、この時計本体に連結される一対のバンドと、前記一対のバンドを連結する中留とを備え、この中留が、一方のバンドに連結されると共に他方のバンドの端部に設けられたピン部を保持するピン保持部を備え、このピン保持部が、前記ピン部を収容して前記バンドの長さ方向に延びる空間を空けて開閉自在に連結される一対の連結体と、前記一対の連結体を閉じる方向に付勢する付勢部材とを有し、前記一対の連結体が、前記空間を前記バンドの長さ方向に間隔を空けて仕切る仕切壁を有し、前記バンドにその長さ方向への外力が作用した場合、その外力により前記ピン部が前記一対の連結体を開いて前記仕切壁を跨いだ隣接空間に移動自在としたことを特徴とする。
この発明によれば、バンドにその長さ方向への外力が作用した場合、その外力によりピン部が一対の連結体を開いて仕切壁を跨いだ隣接空間に移動自在としたので、バンドをその長さ方向へ移動させる簡易な操作でバンドの長さを容易に調整することができる。また、ピン保持部が、ピン部を収容してバンドの長さ方向に延びる空間を空けて開閉自在に連結される一対の連結体と、一対の連結体を閉じる方向に付勢する付勢部材とから構成されるので、簡易な構成にすることができる。
【０００８】
上記構成において、前記中留は、表カバーを有し、この表カバーの内側に、当該中留の施錠／解錠を行う施錠部と前記一対の連結体とを備え、前記連結体の一方を、前記表カバーの内側に回動自在に連結し、前記連結体の他方を、前記一方の連結体と前記表カバーとの間に位置させることが好ましい。
この構成によれば、一対の連結体を表カバー側に回動させた状態では連結体が開かず、ピン部が外れてしまう事態や、バンドの長さが変わってしまう事態を確実に回避することができる。
【０００９】
また、本発明は、一対の帯状体を連結する中留を備えた帯状装身具において、前記中留は、一方の帯状体に連結されると共に他方の帯状体の端部に設けられたピン部を保持するピン保持部を備え、このピン保持部が、前記ピン部を収容して前記帯状体の長さ方向に延びる空間を空けて開閉自在に連結される一対の連結体と、前記一対の連結体を閉じる方向に付勢する付勢部材とを有し、前記一対の連結体が、前記空間を前記帯状体の長さ方向に間隔を空けて仕切る仕切壁を有し、前記帯状体にその長さ方向への外力が作用した場合、その外力により前記ピン部が前記一対の連結体を開いて前記仕切壁を跨いだ隣接空間に移動自在としたことを特徴とする。
この発明によれば、帯状体にその長さ方向への外力が作用した場合、その外力によりピン部が一対の連結体を開いて仕切壁を跨いだ隣接空間に移動自在としたので、帯状体をその長さ方向へ移動させる簡易な操作で帯状体の長さを容易に調整することができる。また、ピン保持部が、ピン部を収容して帯状体の長さ方向に延びる空間を空けて開閉自在に連結される一対の連結体と、一対の連結体を閉じる方向に付勢する付勢部材とから構成されるので、簡易な構成にすることができる。
【発明の効果】
【００１０】
本発明は、一方の帯状体に連結されると共に他方の帯状体の端部に設けられたピン部を保持するピン保持部を備え、このピン保持部が、ピン部を収容して帯状体の長さ方向に延びる空間を空けて開閉自在に連結される一対の連結体と、一対の連結体を閉じる方向に付勢する付勢部材とを有し、一対の連結体が、空間を帯状体の長さ方向に間隔を空けて仕切る仕切壁を有し、帯状体にその長さ方向への外力が作用した場合、その外力によりピン部が一対の連結体を開いて仕切壁を跨いだ隣接空間に移動自在としたので、帯状体をその長さ方向へ移動させる簡易な操作で帯状体の長さを容易に調整することができ、かつ、帯状体の長さを調整する構造を簡易な構成にすることができる。
【発明を実施するための最良の形態】
【００１１】
以下、図面を参照しつつ本発明の実施の形態について説明する。
図１は、本発明の実施形態に係る腕時計の外観構成を示す図である。この腕時計１は、時刻表示を行う時計本体３と、この時計本体３の上下端部（いわゆる、かん部）に連結された一対のバンド５とから構成されている。時計本体３は、ステンレス、チタン等で形成された金属ケース内に、ムーブメント、文字板及び時刻表示針等が配置され、風防ガラス及び裏蓋で水密構造に封止されている。なお、本実施形態では、時刻をアナログ表示する腕時計を例示したが、時刻をデジタル表示する腕時計であってもよい。
【００１２】
バンド５は、ステンレス、チタン等の金属材料で形成された駒を多数連結して構成される。バンド５は、上バンド５Ａと下バンド５Ｂとからなり、バンド５Ａ及び５Ｂは、中留１０で係止されて腕時計１を装着部位（装着者の手首）に装着させる。なお、バンド５は、金属材料で形成された駒を多数連結して構成するものに限らず、例えば、皮バンド、ウレタンゴム等のラバー系バンドであってもよい。
【００１３】
中留１０は、図２に示すように、表カバー１１と、この表カバー１１に連結ピン１２で連結された左右一対の中板１３と、これら中板１３に連結ピン１４で連結された下板１５とを備え、中板１３と下板１５とを表カバー１１の下に折り畳み自在に構成される。また、下板１５には、連結ピン１６を介して下バンド５Ｂが連結される。
表カバー１１は、バンド５の長手方向に延出する蓋部１１Ａと、左右の側壁１１Ｂ、１１Ｃとを有し、図３に示すように、蓋部１１Ａと側壁１１Ｂ、１１Ｃが囲む間隙内には、ボタンユニット２０と、上バンド５Ａを保持するピン保持部３０とが収容されている。
【００１４】
ボタンユニット２０は、下板１５に設けられたフック１５Ａに係合する施錠部として機能するものであり、左右一対のプッシュボタン２２、２３（図２参照）を左右方向へ移動自在に収容し、これらボタン２２、２３を図示せぬ付勢部材（ばね等）により左右外方へ各々付勢している。
プッシュボタン２２、２３は、表カバー１１の左右側壁１１Ｂ、１１Ｃに設けられた開口部１１Ｄを通って左右外方に突出し、外部から押下可能に配置されている。プッシュボタン２２、２３には、ボタンユニット２０裏側の開口部２０Ｈ内に露出する一対の係止部２２Ａ、２３Ａが設けられており、これら一対の係止部２２Ａ、２２Ｂが、上記付勢部材によりその間隙を狭める方向へ付勢されている。
【００１５】
中留１０を折り畳んだ場合には、下板１５のフック１５Ａがボタンユニット２０の開口部２０Ｈ内へ進入し、そこで一対の係止部２２Ａ、２３Ｂに挟持されて中留１０が折り畳んだ状態に施錠される。また、中留１０を解錠する場合は、プッシュボタン２２、２３を両方同時に押下操作すると、一対の係止部２２Ａ、２３Ａ間の間隙が拡がり、ボタンユニット２０とフック１５Ａとの係合が解かれる。
このように、中留１０の解錠をプッシュボタン２２、２３の同時操作で行うようにしたので、プッシュボタン２２、２３のいずれか一方に障害物が当たってボタン２２、２３の一方が押されたとしても、中留１０は外れず、腕時計１の脱落を防ぐことができる。
【００１６】
ピン保持部３０は、表カバー１１よりも幅狭に形成され、このピン保持部３０の左右両側にスペーサ４０を各々配置した状態で、表カバー１１に通された一本の連結ピン４１を介して回動自在に表カバー１１に連結されている。スペーサ４０は、ピン保持部３０と表カバー１１の側壁との間の間隙を埋める部材であり、このスペーサ４０によりピン保持部３０がバンド中央位置に位置決めされ、バンド幅方向への移動が規制される。
【００１７】
ピン保持部３０は、図４に示すように、底板部材３１と、この底板部材３１に開閉自在にピン連結される蓋部材３２とを備えて構成され、これらは開閉自在な一対の連結体を構成している。より具体的には、底板部材３１は、略平板状の平板部３３と、この平板部３３の一端側に形成された連結部３４と、平板部３３の他端側に形成された蓋取付部３５と、平板部３３の連結部３４と蓋取付部３５との間から上方に立設する仕切壁３６Ｌとを備えている。連結部３４には、連結ピン４１を通す孔部４１Ａが形成され、蓋取付部３５には、蓋部材取付用の連結ピン４５を通す孔部４５Ａが形成され、上記仕切壁３６Ｌは孔部４１Ａと孔部１５Ａの間に位置する。
ている。
【００１８】
蓋部材３２は、略平板状の平板部３７と、この平板部３７の一端側に形成された立下部３８と、平板部３７の他端側に設けられた切欠部３７Ａの左右に設けられた取付部３９とを一体に備え、取付部３９の孔部４５Ｂ及び底板部材３１の蓋取付部３５の孔部４５Ａとに連結ピン４５を挿入することによって、蓋部材３２が連結ピン４５を軸に開閉自在に連結される。
ここで、底板部材３１の蓋取付部３５の孔部４５Ａは、段付き孔に形成され、この段付き孔の大径部４５Ａ１には、付勢部材であるねじりコイルばね５０が連結ピン４５に挿通された状態で配置され、このねじりコイルばね５０の一端部５１は、図５に示すように、蓋取付部３５と蓋部材３２の取付部３９との間隙を通って蓋部材３２の外面に係止し、この蓋部材３２を閉じる方向へ付勢している。
なお、本実施形態では、上記底板部材３１及び蓋部材３２を型成形で製造した場合を例示するが、板材に曲げ加工を施して形成してもよく、また、材質も金属材料に限らず、十分な強度を持つ樹脂材料等を広く適用可能である。
【００１９】
蓋部材３２が閉じた場合、図６に示すように、蓋部材３２と底板部材３１との間には、バンド長さ方向に延びる空間αが形成され、この空間αは、底板部材３１に形成された仕切壁３６Ｌと、底板部材３１に設けられ、仕切壁３６Ｌと上下対称形状を有する仕切壁３６Ｕとによって２つの空間α１、α２に仕切られる。
上記仕切壁３６Ｌ、３６Ｕの壁面は、仕切壁３６Ｌ、３６Ｕの頂点に向かって傾斜する面に形成され、より具体的には、空間α１側が比較的急傾斜の傾斜面（第１傾斜面）Ｍ１に形成され、空間α２側が傾斜面Ｍ１に比して緩やかな傾斜面（第２傾斜面）Ｍ２に形成されている。
【００２０】
上記ピン保持部３０は、回動軸（連結ピン４１）を支点に表カバー１１側に回動した位置（以下、表カバー近接位置（図６参照）という。）では、図６に示すように、蓋部材３２が底板部材３１と表カバー１１との間に位置し、表カバー１１により蓋部材３２が開くのが規制される。一方、ピン保持部３０を回動軸を支点に回動させて蓋部材３２を表カバー１１から離れた位置（以下、表カバー離間位置（図７参照）という。）にすれば、図７に示すように、蓋部材３２を開くことが可能になる。
この場合、蓋部材２１は必要以上に開かないようにすることが好ましい。本実施形態では、蓋部材２１を大きく開こうとした場合、蓋部材３２の切欠部３７Ａの端面部３７Ａ１が、底板部材３１の蓋取付部３５の一部に当接して必要以上に開かない。この蓋部材３２の最大開き角度は、上バンド５Ａの後述する係合ピン６０の直径よりも若干大きい程度の隙間が空く程度に規制されている。
【００２１】
この腕時計１では、図８に示すように、上バンド５Ａの端部の駒５Ａ１が、バンド５の長さ方向に凹んだ凹部５５を有し、この凹部５５には、ピン部として機能する係合ピン６０が上バンド５Ａの幅方向に掛け渡されている。そして、図７に示す表カバー離間位置でピン保持部３０の蓋部材３２を開き、係合ピン６０を空間α内に挿入することにより、上バンド５Ａとピン保持部３０とを連結することができる。なお、この係合ピン６０には、ばね棒を適用する方法及び連結ピンを圧入する方法等を適用すればよい。
【００２２】
本実施形態では、上バンド５Ａの係合ピン６０の位置を、ピン保持部３０の空間α１または空間α２のいずれかの位置に変更することによって、バンド長さの微調整が可能である。
詳述すると、係合ピン６０がピン保持部３０の空間α１内に位置する場合、ユーザは、腕時計１を装着部位から取り外し、表カバー１１をほぼ水平に保持することにより、図９（Ａ）に示すように、ピン保持部３０が自重により表カバー離間位置に位置する。そして、この状態を維持しながら、ユーザが上バンド５Ａを下（鉛直方向）に引っ張ると、係合ピン６０が、仕切壁３６Ｌ、３６Ｕの傾斜面Ｍ１に沿って仕切壁３６Ｌ、３６Ｕの中間位置に移動した状態で引っ張り力Ｆ１が作用するので、この引っ張り力Ｆ１の分力が仕切壁３６Ｌ、３６Ｕの両傾斜面Ｍ１に作用し、蓋部材３２が開く。蓋部材３２が開くと、係合ピン６０が蓋部材３２と底板部材３１の間を通って仕切壁３６Ｌ、３６Ｕを下に通過し、図９（Ｂ）に示すように、係合ピン６０がピン保持部３０の空間α２内へ移動する。
これにより、係合ピン６０がピン保持部３０の空間α１から空間α２へ移動した移動量だけバンド５を長くすることができる。
【００２３】
また、係合ピン６０がピン保持部３０の空間α２内に位置する場合、ユーザは、腕時計１を装着部位から取り外し、表カバー１１をほぼ水平に保持してピン保持部を自重により表カバー離間位置に位置させた後、上バンド５Ａを上に押し上げる。この場合、係合ピン６０が、仕切壁３６Ｌ、３６Ｕの傾斜面Ｍ２に当接し、この傾斜面Ｍ２に沿って仕切壁３６Ｌ、３６Ｕの中間位置に案内され、この位置で押し上げ力Ｆ２が作用するので、この押し上げ力Ｆ２の分力が仕切壁３６Ｌ、３６Ｕの両傾斜面Ｍ２に作用し、蓋部材３２が開く。このため、係合ピン６０が蓋部材３２と底板部材３１の間を通って仕切壁３６Ｌ、３６Ｕを上に移動し、図１０（Ｂ）に示すように、係合ピン６０がピン保持部３０の空間α１内へ移動する。
これにより、係合ピン６０がピン保持部３０の空間α２から空間α１へ移動した移動量だけバンド５を短くすることができる。
【００２４】
ところで、バンド５を引っ張る作業よりもバンド５を押し上げる作業の方が一般に力を入れにくい作業となる。本構成では、バンド５を引っ張る場合（バンドを長くする場合）に係合ピン６０が当接する仕切壁３６Ｌ、３６Ｕの傾斜面Ｍ１を、バンド５を押し上げる場合（バンド５を短くする場合）に当接する仕切壁３６Ｌ、３６Ｕの傾斜面Ｍ２よりも急傾斜に形成しているので、バンド５を短くする作業に必要な力Ｆ２を小さくすることができる。従って、バンド５を短くする場合も作業が不安定になることがない。
また、底板部材３１を大きく回動させてその底面部をボタンユニット２０に当接させ、この状態でバンド５の長さ調整を行う方法によっても、バンド５の長さ調整を容易に行うことが可能である。
【００２５】
以上説明したように、本実施形態では、上バンド５Ａに設けられた係合ピン６０を保持するするピン保持部３０を、上バンド５Ａの長さ方向に延びる空間αを空けて開閉自在に連結される底板部材３１及び蓋部材３２と、これらを閉じる方向に付勢するねじりコイルばね５０とで構成し、上記空間αを仕切壁３６Ｌ、３６Ｒで複数の空間α１、α２に仕切ると共に、この空間α１、α２のいずれかに配置された係合ピン６０から仕切壁３６Ｌ、３６Ｒに力（外力）が作用すると、蓋部材３２が開いて係合ピン６０が仕切壁３６Ｌ、３６Ｒを乗り越えて隣接する空間に移動するようにしている。
これにより、係合ピン６０と一体の上バンド５Ａを引っ張る、あるいは、押し上げるといった簡易な操作で、バンド長さを容易に調整することができ、かつ、部品点数も少なくてすむので、従来のバンド調整構造に比して、簡易な構成にすることができる。
また、本実施形態では、上バンド５Ａを引っ張ればバンド５が長くなり、上バンド５Ａを押し上げればバンド５が短くなるので、その操作方向がバンド長さの調整方向と一致し、感覚的に判りやすい操作でバンド調整を行うことができる。
【００２６】
また、各仕切壁３６Ｌ、３６Ｒに、係合ピン６０を、ピン保持部３０を開ける位置へ案内する傾斜面Ｍ１、Ｍ２を設けたので、バンド調整作業がより容易になる。しかも、バンド５を短くする際に係合ピン６０が当接する傾斜面Ｍ２を、バンド５を長くする際に係合ピン６０が当接する傾斜面Ｍ１よりも緩い傾斜としたので、バンド５を長くする作業よりも力を入れにくいバンド５を短くする作業に要する力を小さくでき、いずれの作業も安定して行うことができる。
また、本実施形態では、腕時計１を手首に装着した状態（表カバー近接位置（図６）に相当）では、蓋部材３２が底板部材３１と表カバー１１との間に位置するので、この状態では蓋部材３２が開かず、装着時に係合ピン６０が外れてしまう事態やバンド５の長さが変わってしまう事態を確実に回避することができる。
【００２７】
また、ピン保持部３０をその左右にスペーサ４０を介して表カバー１１に連結するので、スペーサ４０の長さを変えれば幅の異なるバンドの中留に対応させることができ、男性用バンドや女性用バンドのいずれにも共用することができる。なお、ピン保持部３０を板材に曲げ加工を施して形成する場合、スペーサ４０に相当する部分を底板部材３１と一体に形成してもよい。
また、表カバー１１内にボタンユニット２０とピン保持部３０とを配置するので、表カバー１１内のスペースをボタンユニット２０及びピン保持部３０のレイアウトスペースに効率よく利用でき、しかも、時計装着状態では、表カバー１１内にボタンユニット２０及びピン保持部３０が隠れるので、中留１０の外観をシンプルにすることができ、一般的な中留と同じ外観にすることができる。
【００２８】
上述した実施形態は、あくまでも本発明の一態様を示すものであり、本発明の範囲内で任意に変形が可能である。例えば、上記実施形態では、ピン保持部３０を構成する底板部材３１及び蓋部材３２の両方に仕切壁３６Ｌ、３６Ｕを設ける場合を説明したが、これに限らず、いずれか一方だけに仕切壁を設けてもよい。
また、上記実施形態では、ピン保持部３０の空間αを２室に仕切り、２段階でバンド長さを調整可能に構成する場合を例示したが、これに限らず、上記空間αを３室以上に仕切り、バンド長さを３段階以上で調整可能に構成してもよい。
また、上記実施形態では、本発明を三つ折れ中留に適用する場合について説明したが、二つ折れ中留、両開き中留等の中留に広く適用することができる。
また、上記実施形態では、本発明を腕時計のバンド用中留に適用する場合について説明したが、ブレスレットやネックレス等の帯状装身具に使用する中留に広く適用することが可能である。
【図面の簡単な説明】
【００２９】
【図１】本発明の実施形態に係る腕時計の外観構成を示す図である。
【図２】腕時計の中留を拡げた図である。
【図３】中留を裏側から見た図である。
【図４】中留のピン保持部の分解斜視図である。
【図５】ピン保持部の斜視図である。
【図６】ピン保持部を表カバー側に回動させた状態を示す断面図である。
【図７】ピン保持部を表カバーと反対側に回動させた状態を示す断面図である。
【図８】上バンドの端部の駒の斜視図である。
【図９】Ａは係合ピンがピン保持部の空間α１内に位置する状態を示す図であり、Ｂは係合ピンがピン保持部の空間α２内へ移動した状態を示す図である。
【図１０】Ａは係合ピンがピン保持部の空間α２内に位置する状態を示す図であり、Ｂは係合ピンがピン保持部の空間α１内へ移動した状態を示す図である。
【符号の説明】
【００３０】
１…腕時計、３…時計本体、５…バンド（帯状体）、５Ａ…上バンド、５Ａ１…駒、５Ｂ…下バンド、１０…中留、１１…表カバー、１３…中板、１５…下板、１５Ａ…フック、２０…ボタンユニット、２２、２３…プッシュボタン、３０…ピン保持部、３１…底板部材、３２…蓋部材、３３、３７…平板部、３４…連結部、３５…蓋取付部、３６Ｌ、３６Ｕ…仕切壁、３８…立下部、３９…取付部、４０…スペーサ、５０…ねじりコイルばね（付勢部材）、６０…連結ピン（ピン部）、α、α１、α２…空間、Ｍ１、Ｍ２…傾斜面。
【図１】
2007312834.tif 000003
【図２】
2007312834.tif 000004
【図３】
2007312834.tif 000005
【図４】
2007312834.tif 000006
【図５】
2007312834.tif 000007
【図６】
2007312834.tif 000008
【図７】
2007312834.tif 000009
【図８】
2007312834.tif 000010
【図９】
2007312834.tif 000011
【図１０】
2007312834.tif 000012